(57)【要約】      （修正有）【課題】カラスなどの侵入を防止するゴミ集積用具を提供する。【解決手段】蓋パネル４４、４６を開いて、ゴミをゴミ集積用具１０内に投入する。収集したゴミは、蓋パネル４４、４６を開くとともに、正面パネル３０、３２側においてハンドル３４をフック３６から外し、正面パネル３０、３２を外側に観音開きのように開く。これにより、作業者は、用具内に入り込んでゴミの回収作業を行うことができる。ゴミ集積用具１０が空になったら、更に固定バー２２を差込部から外し、各パネルを回動連結具５４を支点として回動させて折り畳む。正面パネル３０、３２の下端が、直角の角１００、２００となっており、正面パネル下端における隙間が非常に狭くなっている。このため、正面パネル下端からのカラスなどの侵入は、良好に抑制される。【選択図】図１
0003230473.tif 000002
【実用新案登録請求の範囲】
【請求項１】
ネットをフレームに張設したパネルを複数連結したゴミ集積用具であって、
２つの正面パネルを備えており、
前記正面パネルの相対側の下部の角部を、アールのない形状としたことを特徴とするゴミ集積用具。
【請求項２】
前記正面パネルの他に、
背面側に設けられている背面パネル，
該背面パネルの左右端側に回動可能に連結された一対の側面パネル，
前記背面パネル，側面パネル，正面パネルで構成された囲い枠の上面を覆うとともに、前記背面パネルもしくは側面パネルのいずれか一方の上端に回動可能に連結された蓋パネル，
を備えており、
前記一対の側面パネルの他端側に、前記正面パネルが回動可能に連結されており、
前記側面パネル，正面パネル，蓋パネルが、前記背面パネルに沿って折り畳み可能であることを特徴とする請求項１記載のゴミ集積用具。
【請求項３】
前記各パネルの相対側の角部を、アールのない形状としたことを特徴とする請求項３記載のゴミ集積用具。
【請求項４】
前記アールのない形状が、直角，鋭角，鈍角のいずれかの形状であることを特徴とする請求項１又は３記載のゴミ集積用具。
【請求項５】
前記正面パネルを、観音開き可能に一対設けるとともに、
該一対の正面パネルの相対側を開閉可能に連結する留め具を設けたことを特徴とする請求項１〜４のいずれか一項に記載のゴミ集積用具。
【請求項６】
前記正面パネルの膨出を防ぐための補強具を、前記正面パネルと背面パネルとの間に設けたことを特徴とする請求項１〜５のいずれか一項に記載のゴミ集積用具。
【考案の詳細な説明】
【技術分野】
【０００１】
本考案は、ごみ収集場所などに集められたゴミやゴミ袋を一時的に保管するためのゴミ集積用具の改良に関するものである。
【背景技術】
【０００２】
ゴミ集積用具の背景技術としては、例えば下記特許文献１に記載の本願出願人による「ゴミ集積用具」がある。これは、蓋パネルの開閉を容易に行うとともに、簡単に折り畳んで収納できるようにすることを目的としたもので、ネットをフレームに張設したパネルを複数連結したゴミ集積用具であって、背面パネル，側面パネル，正面パネル，蓋パネルを備えており、各パネルの一辺を他のパネルの一辺に対して回転可能に取り付けることで、全体を折り畳むことができるようになっている。
【０００３】
前記各パネルは全て、金属製のパイプなどの曲げ加工で形成されたフレームに、ネットを張設したもので、フレームとしては、例えば、鉄，ステンレス，アルミニウム，樹脂などを用いることができるが、軽量化を図るという観点からはアルミニウムが好適である。
【先行技術文献】
【特許文献】
【０００４】
【特許文献１】実用新案登録第3222196号
【考案の概要】
【考案が解決しようとする課題】
【０００５】
ところで、上述したゴミ集積用具では、金属製パイプの曲げ加工を行って各パネルのフレームを構成している。このため、角部分にアールが付いて湾曲する。すると、パネルの角が相対する部位に隙間ができるようになり、カラスなどが侵入する恐れがある。
【０００６】
本考案は、以上の点に着目したもので、カラスなどの用具内への侵入を防止することを、その目的とする。
【課題を解決するための手段】
【０００７】
本考案のゴミ集積用具は、ネットをフレームに張設したパネルを複数連結したゴミ集積用具であって、２つの正面パネルを備えており、前記正面パネルの相対側の下部の角部を、アールのない形状としたことを特徴とする。主要な形態の一つによれば、前記正面パネルの他に、背面側に設けられている背面パネル，該背面パネルの左右端側に回動可能に連結された一対の側面パネル，前記背面パネル，側面パネル，正面パネルで構成された囲い枠の上面を覆うとともに、前記背面パネルもしくは側面パネルのいずれか一方の上端に回動可能に連結された蓋パネル，を備えており、前記一対の側面パネルの他端側に、前記正面パネルが回動可能に連結されており、前記側面パネル，正面パネル，蓋パネルが、前記背面パネルに沿って折り畳み可能であることを特徴とする。他の形態によれば、前記各パネルの相対側の角部を、アールのない形状としたことを特徴とする。あるいは、前記アールのない形状が、直角，鋭角，鈍角のいずれかの形状であることを特徴とする。
【０００８】
更に他の形態によれば、前記正面パネルを、観音開き可能に一対設けるとともに、該一対の正面パネルの相対側を開閉可能に連結する留め具を設けたことを特徴とする。あるいは、前記正面パネルの膨出を防ぐための補強具を、前記正面パネルと背面パネルとの間に設けたことを特徴とする。本考案の前記及び他の目的，特徴，利点は、以下の詳細な説明及び添付図面から明瞭になろう。
【考案の効果】
【０００９】
本考案によれば、少なくとも正面パネルの相対側の下部の隙間を、アールを無くすことで狭くしたので、カラスなどが用具内に侵入のを良好に防止することができる。
【図面の簡単な説明】
【００１０】
【図１】本考案の実施例１のゴミ集積用具を示す斜視図である。
【図２】前記実施例１の主要部を示す図である。
【図３】本考案の実施例２のゴミ集積用具を示す斜視図である。
【図４】本考案の実施例３のゴミ集積用具を示す斜視図である。
【考案を実施するための形態】
【００１１】
以下、本考案を実施するための最良の形態を、実施例に基づいて詳細に説明する。
【実施例１】
【００１２】
最初に、図１〜図２を参照しながら、本考案の実施例１について詳細に説明する。図１には、本考案のゴミ集積用具の実施例１の全体構成が示されており、本実施例のゴミ集積用具１０は、背面パネル１２，側面パネル２６及び２８，正面パネル３０及び３２からなる囲い枠に、開閉自在な蓋パネル４４，４６が設けられている。なお、本例では、底面パネルは設けられていないが、底面パネルを設けてもよい。ゴミ集積用具１０の下端には、例えば、ゴムなどで形成された脚５２が設けられている。
【００１３】
前記各パネルは全て、金属製のパイプなどで形成されたフレームに、ネット１８を張設したもので、必要に応じて、ネット１８の縁をフレームに固定するための固定バーが利用される。フレームとしては、例えば、鉄，ステンレス，アルミニウムなどを用いることができるが、軽量化を図るという観点からはアルミニウムが好適である。鉄に樹脂コーティングを施すようにしてもよい。ネット１８としては、例えば、強度の高い高密度（ないし超高密度）ポリエチレンで光反射性を有する糸を複数本，例えば１５本前後を撚ったものを使用する。また、ネット１８の網目の大きさは、例えばカラスなどの嘴が入り込むものの、エサをくわえた状態では網目から抜けないような大きさに設定する。
【００１４】
以上のうち、背面パネル１２は、横長の略長方形のフレーム１４にネット１８を張設したもので、前記フレーム１４の長辺を概略２分する位置に、支持バー１６が設けられている。該支持バー１６は、フレーム１４と同様の材質により構成されており、その両端が、フレーム１４にそれぞれ固定されている。該支持バー１６の略中間位置には、後述する正面パネル３０，３２の膨出を抑えるための固定バー２２が、連結具２０を支点として上下に回動可能に取り付けられている。この固定バー２２の他端側は、略Ｌ字状ないし鉤状に折り曲げられた差込部となっている。更に、固定バー２２は、背面パネル１２と正面パネル３０又は３２間の距離，すなわち、側面パネル２６の幅ないしゴミ集積用具１０の奥行きとほぼ一致する長さに予め設定されている。
【００１５】
このような背面パネル１２の側端には、回動連結具５４によって、それぞれ側面パネル２６，２８が回転可能に連結されており、内外側に折り畳み可能となっている。背面パネル１２の上側には、同じく回動連結具５４を支点として蓋パネル４４，４６が回動可能に連結され、側面パネル２６，２８の正面側の側端には、回動連結具５４を支点として正面パネル３０，３２が回動可能に連結されている。側面パネル２６，２８は、背面側から正面側に向かって低くなるように傾斜を設けているが、背面側と正面側で同じ高さとしてもよい。
【００１６】
正面パネル３０，３２の相対側ないし対向側には、ハンドル３４とフック３６が設けられており、図示の状態では、ハンドル３４がフック３６に掛けられており、ハンドル３４を回転させてフック３６から外すことで、正面パネル３０，３２を回転することができるようになっている。ハンドル３４とフック３６は、図示の例では、上下に２組設けられている。また、フック３６の間には、上述した背面パネル１２に設けられた固定バー２２の差込部を係合するための受部３８が設けられている。固定バー２２を受部３８に係合することで、前記ハンドル３４とフック３６による正面パネル３０，３２の相対部位を補強するとともに、正面パネル３０，３２の正面側への膨出を防ぐことができる。
【００１７】
次に、蓋パネル４４，４６は、２枚でゴミ集積用具１０の上面を覆うようなサイズに設定されており、正面側には、開閉するための取手４８，５０がそれぞれ設けられている。また、上述したように、蓋パネル４４，４６は、背面パネル１２の上側に回動連結具５４を支点として回動可能に連結されているので、取手４８，５０を持ち上げることで、図中に点線で示すように、蓋パネル４４，４６を開くことができる。また、ハンドル３４を回転させてフック３６から外すとともに、固定バー２２を受部３８から外すことで、正面パネル３０，３２を開けることができる（図３(B)参照）。本実施例では、蓋パネル４４，４６をカラスなどが開くことがないよう、取っ手４８，５０の重量が重く設定されている。
【００１８】
ところで、本実施例では、正面パネル３０，３２の相対側下部の角１００，２００が、ほぼ９０度となっており、隙間が低減されている。図２には、角１００の詳細な構造が示されている。角２００についても同様である。同図(A)に示すように、正面パネル３０の垂直パイプ１０２，水平パイプ１０４はほぼ直交しており、垂直パイプ１０２がほぼ垂直方向，水平パイプ１０４がほぼ水平方向となっている。垂直パイプ１０２内には、開口側から、樹脂などによって形成したコネクタ１１０が挿入されている。図２(B)には、その外観が示されている。コネクタ１１０には穴１１１が設けられており、ステンレスなどによって形成したナット１１２が挿入・固定されている。コネクタ１１０は、垂直パイプ１０２内に圧入されており、容易に垂直パイプ１０２から抜けないようになっている。
【００１９】
一方、パイプ１０４には、垂直方向に貫通孔１１５が設けられており、これらの貫通孔１１５を図の下側からボルト１１４がワッシャを介して貫通している。ボルト１１４は、更にコネクタ１１０の穴１１１内に挿入され、ナット１１２に歯合する。これにより、垂直パイプ１０２の下端に水平パイプ１０４が固定される。
【００２０】
垂直パイプ１０２の下端開口は、当接する水平パイプ１０４の外周面で塞がれる。一方、水平パイプ１０４の右端開口は、樹脂などによって形成したキャップ１２０で塞がれる。キャップ１２０は、図２(C)に示すように、頭部１２２と胴部１２４によって構成されており、胴部１２４には、上述したボルト１１４を避けるための開口１２６が設けられている。すなわち、キャップ１２０は、開口１２６内にボルト１１４が入り込むように、水平パイプ１０４の右端開口に挿入される。
【００２１】
次に、本実施例の作用を説明すると、図１に示す組み立てた状態から、蓋パネル４４，４６を開くと、ゴミをゴミ集積用具１０内に投入することができる。収集したゴミを取り出すときは、例えば、蓋パネル４４，４６を開くとともに、正面パネル３０，３２側においてハンドル３４をフック３６から外し、正面パネル３２を外側に観音開きのように開く。このようにすることで、作業者は、用具内に入り込んでゴミの回収作業を行うことができる。ゴミ集積用具１０が空になったら、更に固定バー２２を差込部２４から外し、各パネルを回動連結具５４を支点として回動させて折り畳むようにする。この折り畳みの様子は、蓋パネル４４，４６の回動方向が異なる以外は、上述した背景技術と同様である。
【００２２】
ところで、本実施例によれば、正面パネル３０，３２の下端が、直角の角１００，２００となっており、正面パネル下端における隙間が非常に狭くなっている。このため、正面パネル下端からのカラスなどの侵入が良好に抑制されるようになる。更に、本実施例によれば、蓋パネル４４，４６の取っ手４８，５０の重量が重く設定されているので、蓋パネル４４，４６をカラスなどが開けるといった不都合も低減されるようになる。
【実施例２】
【００２３】
次に、図３を参照しながら、本考案の実施例２のゴミ集積用具１０Ａについて説明する。本実施例は、上述した背景技術に本考案を適用した例で、側面パネル２７，２９の傾斜はなく、背面側と正面側で同じ高さとなっている。また、蓋パネル４５，４７に対する取っ手４９，５１の位置が異なっており、蓋パネル４５，４７が、同図(B)に示すように、前後方向ではなく、左右方向に開閉されるようになっている。本実施例においても、正面パネル３０，３２における相対側下部の角１００，２００の構造は、前記実施例１と同様であり、正面パネル下端からのカラスなどが侵入が良好に抑制されるようになる。更に、本実施例によれば、蓋パネル４５，４７の取っ手４９，５１の重量が重く設定されているので、蓋パネル４５，４７をカラスなどが開けるといった不都合も低減されるようになる。
【実施例３】
【００２４】
次に、図４を参照しながら、本考案の実施例３のゴミ集積用具１０Ｂについて説明する。上述した実施例は、正面パネル３０，３２の相対側の下部を角１００，２００とすることで、隙間を無くすようにしているが、本実施例は、前記図３の実施例において、各パネルの角部を略直角とすることで、隙間を無くすようにした例である。もちろん、図１の実施例においても同様としてよいが、側面パネル２６，２８の上側の角部は、正面側で鈍角，背面側で鋭角となる。なお、すべてを角部を略直角としなくてもよく、必要な部位についてのみ略直角としてよい。
【００２５】
＜他の実施例＞  本考案には数多くの実施例があり、以上の開示に基づいて多様に改変することが可能である。例えば、次のようなものも含まれる。
(1)上述した実施例を構成する各部の材料としては各種のものが知られており、そのいずれのものを用いてもよい。また、各部の大きさ，形状も一例であり、必要に応じて適宜変更してよい。例えば、図１のゴミ集積用具１０の寸法例を示すと、以下のようになる。
横幅：1700mm〜1900mm，
背面側の高さ：800mm〜1000mm，
正面側の高さ：700mm〜800mm，
正面から背面までの奥行き：500mm〜800mm，
(2)色彩や模様になどについても同様に適宜変更可能である。例えば、ネットの色は、糸を着色することで適宜変更可能であるが、視認性の高い緑色や黄色とすることで、通行人や車両などの注意を引いて、更に交通の安全を図るようにしてよい。更に、ネットを光反射性としたり、蓄光性，蛍光性を有する糸を使用するようにしてもよい。
(3)前記実施例では、ハンドルとフックによって留め具としたが、公知の各種の構造としてよい。例えば、チェーン，紐，面ファスナーなどを使用してよい。
(4)ネットやフレームに防カビ効果，防臭効果，消臭効果を持たせるようにしてもよい。また、フレームを構成するパイプの中に芳香剤などを入れるとともに、フレームに放香用の孔などを設けるようにしてもよいし、その香りも季節ごとに変えるようにしてもよい。
(5)上述した実施例では、ゴミ集積用具の下端にゴムなどで構成された脚を設けることとしたが、キャスタを設けて全体の移動を行うようにしてもよい。また、例えば、カラスが磁気に弱いという点を利用して、ネットやフレームの適宜箇所に磁石などを設けるようにしてもよい。
(6)前記実施例で示した角１００，２００の形状は一例であり、各パネルの角部を隙間が生じないようであれば、アールのない形状，直角形状，鋭角形状，鈍角形状など、どのような形状としてもよい。また、それら形状とするための構造も、前記実施例に限定されず、例えば、接着剤や溶接によって接合するといった公知の構造としてよい。
(7)前記実施例に、上述した背景技術や、実用新案登録第3216396号のゴミ集積用具に適用ないし組み合わせてもよい。
(8)本考案の適用対象のゴミとしては、各種の廃棄物や処分品なども含まれる。
【産業上の利用可能性】
【００２６】
本考案によれば、少なくとも正面パネルの相対側の下部の隙間を、アールを無くすことで狭くしたので、カラスなどが用具内に侵入のを良好に防止することができ、ゴミ集積用具として好適である。
【符号の説明】
【００２７】
１０，１０Ａ，１０Ｂ：ゴミ集積用具
１２：背面パネル
１４：フレーム
１６：支持バー
１８：ネット
２０：連結具
２２：固定バー
２４：差込部
２６，２７，２８，２９：側面パネル
３０，３２：正面パネル
３４：ハンドル
３６：フック
３８：受部
４４，４５，４６，４７：蓋パネル
４８，４９，５０，５１：取っ手
５２：脚
５４：回動連結具
１００，２００：角
１０２：垂直パイプ
１０４：水平パイプ
１１０：コネクタ
１１１：穴
１１２：ナット
１１４：ボルト
１１５：貫通孔
１２０：キャップ
１２２：頭部
１２４：胴部
１２６：開口
【図１】
0003230473.tif 000003
【図２】
0003230473.tif 000004
【図３】
0003230473.tif 000005
【図４】
0003230473.tif 000006
【手続補正書】
【提出日】令和2年11月17日(2020.11.17)
【手続補正１】
【補正対象書類名】実用新案登録請求の範囲
【補正対象項目名】全文
【補正方法】変更
【補正の内容】
【実用新案登録請求の範囲】
【請求項１】
ネットをフレームに張設したパネルを複数連結したゴミ集積用具であって、
２つの正面パネルを備えており、
前記正面パネルの相対側の下部の角部を、アールのない形状としたことを特徴とするゴミ集積用具。
【請求項２】
前記正面パネルの他に、
背面側に設けられている背面パネル，
該背面パネルの左右端側に回動可能に連結された一対の側面パネル，
前記背面パネル，側面パネル，正面パネルで構成された囲い枠の上面を覆うとともに、前記背面パネルもしくは側面パネルのいずれか一方の上端に回動可能に連結された蓋パネル，
を備えており、
前記一対の側面パネルの他端側に、前記正面パネルが回動可能に連結されており、
前記側面パネル，正面パネル，蓋パネルが、前記背面パネルに沿って折り畳み可能であることを特徴とする請求項１記載のゴミ集積用具。
【請求項３】
前記各パネルの相対側の角部を、アールのない形状としたことを特徴とする請求項２記載のゴミ集積用具。
【請求項４】
前記アールのない形状が、直角，鋭角，鈍角のいずれかの形状であることを特徴とする請求項１又は３記載のゴミ集積用具。
【請求項５】
前記正面パネルを、観音開き可能に一対設けるとともに、
該一対の正面パネルの相対側を開閉可能に連結する留め具を設けたことを特徴とする請求項１〜４のいずれか一項に記載のゴミ集積用具。
【請求項６】
前記正面パネルの膨出を防ぐための補強具を、前記正面パネルと背面パネルとの間に設けたことを特徴とする請求項１〜５のいずれか一項に記載のゴミ集積用具。